(57)【要約】【課題】紙幣カセットに集積された紙幣の枚数をカウントし、カウントされた枚数が所定枚数未満の場合には、検知手段によるカセットフルの検知を無効とするようにして、紙幣カセットに集積された紙幣の枚数が少ないのに紙幣カセットへの紙幣の集積が停止されてしまうことを防止することができ、紙幣カセットから紙幣を取り出す作業の頻度を低下させ、回収された紙幣を効率的に運用することができ、紙幣の運用処理を高速化することができ、店舗の運営を効率化することができるようにする。【解決手段】紙幣が集積される紙幣カセットと、紙幣カセット内に集積された紙幣の枚数をカウントする集積枚数カウンタと、集積された紙幣が紙幣カセット一杯になったことを検知する検知手段とを有し、集積枚数カウンタによってカウントされた枚数が所定枚数未満の場合には、検知手段による紙幣カセット一杯になったことの検知を無効とする。【選択図】図１
2007200187.tif 000002
【特許請求の範囲】
【請求項１】
（ａ）紙幣が集積される紙幣カセットと、
（ｂ）該紙幣カセット内に集積された紙幣の枚数をカウントする集積枚数カウンタと、
（ｃ）集積された紙幣が前記紙幣カセット一杯になったことを検知する検知手段とを有し、
（ｄ）前記集積枚数カウンタによってカウントされた枚数が所定枚数未満の場合には、前記検知手段による前記紙幣カセット一杯になったことの検知を無効とすることを特徴とする紙幣集積装置。
【請求項２】
前記検知手段は、前記紙幣カセットに配設され、該紙幣カセット内に集積された紙幣の高さを監視する請求項１に記載の紙幣集積装置。
【請求項３】
前記紙幣カセットは、前記紙幣が搬入される紙幣搬入口、及び、該紙幣搬入口の下方に配設され、初期状態において、前記紙幣搬入口側端が下方となるように斜めであり、紙幣が上に集積されるにつれて水平に近くなる集積ステージを備える請求項１に記載の紙幣集積装置。
【請求項４】
前記集積ステージは、前記紙幣搬入口側端が前記紙幣カセットの床面に枢支され、付勢手段によって上方に向けて付勢されている請求項３に記載の紙幣集積装置。
【請求項５】
前記集積ステージは、初期状態において、自由端が前記紙幣搬入口側端より上方に位置し、集積された紙幣の枚数が増加すると、紙幣の重量によって、前記自由端が下降する請求項３に記載の紙幣集積装置。
【発明の詳細な説明】
【技術分野】
【０００１】
本発明は、紙幣集積装置に関するものである。
【背景技術】
【０００２】
従来、コンビニエンスストア、スーパーマーケット等の店舗におけるレジ精算場では、現金による販売で必要となる釣銭準備金を管理するために、ＰＯＳ（Ｐｏｉｎｔ  ｏｆ  Ｓａｌｅｓ）レジスタ等のレジスタ機に釣銭処理装置が取り付けられている（例えば、特許文献１参照。）。
【０００３】
そして、前記レジ精算場において精算を行う場合、前記店舗の係員がバーコード読取装置等の入力装置を操作して、顧客が購入した商品をＰＯＳレジスタに登録すると、該ＰＯＳレジスタの表示装置に顧客が購入した商品の合計金額が表示されるようになっている。続いて、前記係員は、表示された合計金額を顧客に伝え、該顧客から現金を受け取る。そして、受け取った現金が正常なものであることを確認した上で、前記現金を顧客から見える箇所に保持させたまま、前記ＰＯＳレジスタに受け取った現金の金額、すなわち、受け取り金額を入力する。
【０００４】
これにより、前記ＰＯＳレジスタは、前記合計金額と入力された受け取り金額とから釣銭額を算出する。ここで、釣銭を要する場合、前記ＰＯＳレジスタから前記釣銭処理装置に対して出金指示が出され、前記釣銭処理装置によって釣銭の出金が行われる。そして、前記係員が出金された釣銭を顧客に手渡した時点で該顧客との精算処理が完了する。そして、前記顧客はレジ精算場から立ち去る。
【０００５】
一方、前記係員は、前記顧客から受け取って顧客が見える箇所に保持させておいた現金を紙幣と硬貨とに分別し、前記釣銭処理装置の紙幣釣銭機及び硬貨釣銭機に、それぞれ、投入する。これにより、前記紙幣釣銭機及び硬貨釣銭機は、それぞれ、紙幣及び硬貨の入金処理を行う。
【０００６】
そして、入金された紙幣が、釣銭として出金可能であれば金種別収納庫に搬送され、出金用金種でなければ、回収カセットに搬送される。ここで、該回収カセットは、いわゆる上入れタイプであり、回収カセットの上から搬入された紙幣が底面上に順次積み重ねられて集積されるようになっている。そのため、後から搬入される紙幣が既に集積された紙幣の最上位に位置する紙幣に引っ掛かって紙詰まりを起こさないよう、回収カセットに集積された紙幣の高さはフル検知センサによって監視されている。そして、回収カセットに集積された紙幣の高さがあらかじめ設定された最高値になると、回収カセットが一杯になった、すなわち、カセットフルになったことがフル検知センサによって検知されて、回収カセットへの紙幣の集積が停止されるようになっている。
【特許文献１】特開２００１−１３４８０６号公報
【発明の開示】
【発明が解決しようとする課題】
【０００７】
しかしながら、前記従来の釣銭処理装置においては、回収カセットに集積された紙幣の枚数があらかじめ想定された枚数より少なくても、カセットフルになったことがフル検知センサによって検知され、回収カセットへの紙幣の集積が停止されてしまうことがある。これは、顧客から受け取る紙幣には折り目や、カールのような癖が付いたものが多いので、回収カセットに集積された紙幣の高さが枚数の割に高くなるからである。そのため、回収カセットに集積された紙幣の枚数が比較的少なくても、カセットフルになったことがフル検知センサによって検知されてしまう。
【０００８】
このように、カセットフルになったことがフル検知センサによって検知されると、回収カセットへの紙幣の集積が停止されるので、集積された紙幣を回収カセットから取り出す必要がある。ところが、該回収カセットは、セキュリティの観点から、一般的に、店舗における現金回収処理の管理者によって管理され、レジ精算場の係員が開閉して内部の紙幣を取り出すことができないようになっている。そのため、前記回収カセットに収納された紙幣を取り出す場合には、前記回収カセットをレジ精算場から、例えば、店舗の管理室等の他の場所に移動させ、該他の場所において前記管理者が前記回収カセットから紙幣を取り出すようになっているので、手間がかかってしまう。さらに、係員は次の顧客のための精算を行うことができなくなってしまう。
【０００９】
したがって、回収カセットに集積された紙幣の枚数が少なくても、カセットフルになったことが検知されると、集積された紙幣を頻繁に回収カセットから取り出すこととなり、係員や管理者の手間がかかるとともに、顧客がより長時間待たされることになり、迅速な精算処理の妨げとなり、レジ精算場が混雑してしまう。
【００１０】
本発明は、前記従来の問題点を解決して、紙幣カセットに集積された紙幣の枚数をカウントし、カウントされた枚数が所定枚数未満の場合には、検知手段によるカセットフルの検知を無効とするようにして、紙幣カセットに集積された紙幣の枚数が少ないのに紙幣カセットへの紙幣の集積が停止されてしまうことを防止することができ、紙幣カセットから紙幣を取り出す作業の頻度を低下させ、回収された紙幣を効率的に運用することができ、紙幣の運用処理を高速化することができ、店舗の運営を効率化することができる紙幣集積装置を提供することを目的とする。
【課題を解決するための手段】
【００１１】
そのために、本発明の紙幣集積装置においては、紙幣が集積される紙幣カセットと、該紙幣カセット内に集積された紙幣の枚数をカウントする集積枚数カウンタと、集積された紙幣が前記紙幣カセット一杯になったことを検知する検知手段とを有し、前記集積枚数カウンタによってカウントされた枚数が所定枚数未満の場合には、前記検知手段による前記紙幣カセット一杯になったことの検知を無効とする。
【００１２】
本発明の他の紙幣集積装置においては、さらに、前記検知手段は、前記紙幣カセットに配設され、該紙幣カセット内に集積された紙幣の高さを監視する。
【００１３】
本発明の更に他の紙幣集積装置においては、さらに、前記紙幣カセットは、前記紙幣が搬入される紙幣搬入口、及び、該紙幣搬入口の下方に配設され、初期状態において、前記紙幣搬入口側端が下方となるように斜めであり、紙幣が上に集積されるにつれて水平に近くなる集積ステージを備える。
【００１４】
本発明の更に他の紙幣集積装置においては、さらに、前記集積ステージは、前記紙幣搬入口側端が前記紙幣カセットの床面に枢支され、付勢手段によって上方に向けて付勢されている。
【００１５】
本発明の更に他の紙幣集積装置においては、さらに、前記集積ステージは、初期状態において、自由端が前記紙幣搬入口側端より上方に位置し、集積された紙幣の枚数が増加すると、紙幣の重量によって、前記自由端が下降する。
【発明の効果】
【００１６】
本発明によれば、紙幣集積装置は、紙幣カセットに集積された紙幣の枚数をカウントし、カウントされた枚数が所定枚数未満の場合には、検知手段によるカセットフルの検知を無効とするようになっている。そのため、紙幣カセットに集積された紙幣の枚数が少ないのに紙幣カセットへの紙幣の集積が停止されてしまうことを防止することができ、紙幣カセットから紙幣を取り出す作業の頻度を低下させ、回収された紙幣を効率的に運用することができ、紙幣の運用処理を高速化することができ、店舗の運営を効率化することができる。
【発明を実施するための最良の形態】
【００１７】
以下、本発明の実施の形態について図面を参照しながら詳細に説明する。
【００１８】
図１は本発明の実施の形態における紙幣処理装置の斜視図である。
【００１９】
図において、１１は、紙幣釣銭機として機能する紙幣釣銭部１２及び硬貨釣銭機として機能する硬貨釣銭部１３を有する紙幣集積装置としての釣銭機であり、ＰＯＳレジスタ１４に取り付けられている。該ＰＯＳレジスタ１４は、店舗におけるレジ精算場に配設され、店舗を訪れた顧客が店舗で販売される商品やサービスを購入して代金の精算を行うと、前記店舗におけるレジ係等の代金精算業務を行う係員が操作して、前記代金を商品やサービスの売上額として入力して合計売上額を集計するとともに、前記代金として顧客から受領した現金を収納するための装置である。この場合、前記係員は、顧客から受け取った現金としての貨幣を後述される紙幣６０と硬貨とに分別し、前記紙幣釣銭部１２及び硬貨釣銭部１３に、それぞれ、投入して入金するようになっている。
【００２０】
また、前記ＰＯＳレジスタ１４は、いわゆるＰＯＳシステムにおけるＰＯＳ端末として機能するものであり、売上額だけでなく、顧客が購入した商品やサービス毎に商品項目等の売上情報も入力される。そして、図示されないホストコンピュータが、ＰＯＳレジスタ１４とＬＡＮ（Ｌｏｃａｌ  Ａｒｅａ  Ｎｅｔｗｏｒｋ）等の通信回線網を介して接続され、前記ＰＯＳレジスタ１４に売上情報や売上額が入力される度に前記売上情報や売上額を収集し、店舗全体としての売上情報や売上額を集計する。なお、前記ＰＯＳレジスタ１４に代えて、ＰＯＳシステムに組み込まれていない、通常のレジスタ機を使用することもできる。
【００２１】
さらに、前記店舗は、例えば、コンビニエンスストア、スーパーマーケット、百貨店等の商店や、レストラン、喫茶店等の飲食店であるが、商品やサービスを販売する店舗であれば、いかなる種類の店舗であってもよい。
【００２２】
なお、本実施の形態において、前記釣銭機１１は、図書券、ビール券、ギフト券、商品券等の金券やトラベラーズチェック、小切手、株券等の有価証券も紙幣６０と同様に取り扱うことができるものであるが、ここでは、説明の都合上、金券や有価証券についての説明は省略する。
【００２３】
そして、前記釣銭機１１は、顧客から受け取った硬貨を投入して入金する硬貨入金口１５、顧客に釣銭として支払う硬貨を払い出す硬貨出金口１６、受け入れ不能と判別されてリジェクトされた硬貨を収納するリジェクト部１７、顧客から受け取った紙幣６０を入金したり、顧客に釣銭として支払う紙幣６０を払い出して出金したりする入出金部としての紙幣入出金口３０、及び、紙幣釣銭部１２内に収納されている紙幣６０を回収し、収納する紙幣カセットとしての回収カセット部３１を有する。また、前記釣銭機１１は、係員が操作するための操作表示部２０を有する。該操作表示部２０は、通常モードと補充モードとを選択する選択手段としてのモード切換キーを含むキーボード、タッチパネル、スイッチ等から成る入力部２０ａ、ＣＲＴ、液晶ディスプレイ、ＬＥＤ（Ｌｉｇｈｔ  Ｅｍｉｔｔｉｎｇ  Ｄｉｏｄｅ）ディスプレイ等から成る表示部２０ｂを備える。
【００２４】
また、店舗における業務の開始時や、業務途中であっても釣銭機１１に収納されている紙幣６０又は硬貨の不足が発生した場合には、前記係員が、管理者の指示に従って、紙幣６０又は硬貨を紙幣入出金口３０又は硬貨入金口１５から投入して釣銭機１１に補充するようになっている。
【００２５】
次に、前記釣銭機１１の構成を機能の観点から説明する。
【００２６】
図２は本発明の実施の形態における釣銭機の機能構成を示すブロック図である。
【００２７】
図２において、１８は釣銭機１１の制御部であり、演算手段であるＣＰＵ２１、記憶手段であるメモリ２２、インターフェイスであるＩ／Ｏポート２３〜２５を有する。なお、前記ＣＰＵ２１、メモリ２２、Ｉ／Ｏポート２３〜２５は、内部バス２６を介して相互に通信可能に接続されている。また、前記制御部１８はＰＯＳレジスタ１４と通信可能に接続されている。
【００２８】
そして、前記Ｉ／Ｏポート２３には操作表示部２０の入力部２０ａ及び表示部２０ｂが接続されている。前記入力部２０ａの検知信号はＩ／Ｏポート２３及び内部バス２６を介してＣＰＵ２１に送信される。また、表示部２０ｂのドライブ信号は、ＣＰＵ２１から内部バス２６及びＩ／Ｏポート２３を介して表示部２０ｂに送信される。
【００２９】
さらに、前記Ｉ／Ｏポート２４には、紙幣釣銭部１２のモータ１２ａ、ソレノイド１２ｂ及びセンサ１２ｃが接続され、前記Ｉ／Ｏポート２５には、硬貨釣銭部１３のモータ１３ａ、ソレノイド１３ｂ及びセンサ１３ａが接続されている。そして、前記センサ１２ｃ及びセンサ１３ｃの検知信号は、Ｉ／Ｏポート２４及びＩ／Ｏポート２５並びに内部バス２６を介してＣＰＵ２１に送信される。また、前記モータ１２ａ、モータ１３ａ、ソレノイド１２ｂ、ソレノイド１３ｂ等の各種駆動系のドライブ信号は、ＣＰＵ２１から内部バス２６、Ｉ／Ｏポート２４及びＩ／Ｏポート２５を介してモータ１２ａ、モータ１３ａ、ソレノイド１２ｂ、ソレノイド１３ｂ等に送信される。なお、前記メモリ２２には、センサ１２ｃ及びセンサ１３ｃの検知信号によって各種駆動系を制御する手順等を実行するファームウェアが格納されている。
【００３０】
次に、前記紙幣釣銭部１２の構成を説明する。  
【００３１】
図３は本発明の実施の形態における紙幣釣銭部の概略断面図である。
【００３２】
図３に示されるように、紙幣釣銭部１２は、顧客から受け取った紙幣６０を入金する入金口及び釣銭としての紙幣６０を出金するための出金口として機能する紙幣入出金口３０、前記紙幣釣銭部１２における内部の紙幣６０を回収するための回収カセット部３１、千円券等の紙幣６０を収納する金種別収納庫としての第１金種別収納庫３２、五千円券等の紙幣６０を収納する金種別収納庫としての第２金種別収納庫３３、紙幣６０を認識する認識部としての入出金紙幣認識部３４、受け入れ不能と判別されてリジェクトされた紙幣６０を収納する出金リジェクト部３５、並びに、紙幣６０を搬送する搬送路３６を有している。なお、前記回収カセット部３１の内部には、後述される集積ステージ６２及び板ばね６３が配設されている。さらに、回収カセット部３１の紙幣搬入口には集積ローラ６１が配設されている。
【００３３】
そして、顧客から受け取った紙幣６０が紙幣入出金口３０から入金されると、前記紙幣６０は、図示されない搬送ローラ、搬送ベルト等によって搬送路３６に沿って搬送され、入出金紙幣認識部３４によって認識され、金種に応じて、第１金種別収納庫３２又は第２金種別収納庫３３に収納される。なお、前記第１金種別収納庫３２及び第２金種別収納庫３３は、紙幣６０を上から入れる上入れ収納することができ、かつ、紙幣６０を上から取り出す上出しをすることができるようになっている。
【００３４】
また、回収カセット部３１の真上に位置する紙幣入出金口３０には、フィードローラ４３及び分離ローラ４４が配設されている。前記フィードローラ４３及び分離ローラ４４は、前記紙幣入出金口３０にセットされた紙幣６０を一枚ずつ分離して搬送路３６に送り込むための分離ゲート部を構成し、互いに圧接して対向するように配設されている。
【００３５】
さらに、前記第１金種別収納庫３２の入口には、フィードローラ４５及び分離ローラ４６が配設されている。前記フィードローラ４５及び分離ローラ４６は前記第１金種別収納庫３２に収納された紙幣６０を一枚ずつ分離して搬送路３６に送り込むための分離ゲート部を構成し、互いに圧接して対向するように配設されている。同様に、前記第２金種別収納庫３３の入口には、フィードローラ４７及び分離ローラ４８が配設されている。前記フィードローラ４７及び分離ローラ４８は前記第２金種別収納庫３３に収納された紙幣６０を一枚ずつ分離して搬送路３６に送り込むための分離ゲート部を構成し、互いに圧接して対向するように配設されている。
【００３６】
なお、紙幣６０の集積中は、分離ローラ４４、分離ローラ４６及び分離ローラ４８が回転するので、図３に示されるように、遠心力によって細長いゴム部材が放射状に伸びて、ジャムが発生しないように、集積された紙幣６０の後端部をたたいて沈めるように動作する。
【００３７】
また、５８は、前記紙幣入出金口３０から分離搬送され、入出金紙幣認識部３４において金種が判別された紙幣６０を第１金種別収納庫３２とその他とに振り分けるための搬送方向切換機構である。そして、５７は、釣銭として出金される出金紙幣と、入出金紙幣認識部３４において、再循環、すなわち、リサイクルして使用することができない五千円券、千円券、その他の金種の紙幣６０、搬送異常が発生した紙幣６０、認識不能な紙幣６０等の入金リジェクト紙幣とを振り分けるための搬送方向切換機構である。さらに、５９は、回収される紙幣６０と、出金時に発生した認識リジェクト紙幣、確定済みのリサイクルして使用することができない五千円券、千円券、その他の金種の紙幣６０、搬送異常が発生した紙幣６０、認識不能な紙幣６０等の入金リジェクト紙幣とを振り分けるための搬送方向切換機構である。そして、回収される紙幣６０は、集積ローラ６１によって回収カセット部３１内に搬入されて集積される。該回収カセット部３１は、紙幣６０を紙幣搬入口を通して上から入れる上入れ収納するようになっている。
【００３８】
なお、前記搬送路３６は、双方向搬送路になっているので、入金時、補充時、出金時及び回収時において、紙幣６０は常に同じ搬送路３６を双方向に搬送される。これにより、シンプルな搬送系を得ることができる。また、入出金紙幣認識部３４は、入金時、補充時、出金時及び回収時において、双方向に搬送される紙幣６０の金種及び状態（重送、斜行、連鎖等の有無）を検出することができるようになっている。
【００３９】
そして、５０及び５４は分離した紙幣６０のタグ付け及び分離枚数や分離走行状態を検出するためのセンサであり、５２は認識処理用のセンサである。さらに、５１及び５３は、それぞれ、入出金紙幣認識部３４の情報に基づいて搬送方向切換機構５８及び搬送方向切換機構５７を切り換えるためのタイミングトリガセンサである。また、５５及び５６は紙幣６０の通過確認センサである。
【００４０】
次に、前記回収カセット部３１の構成を説明する。
【００４１】
図４は本発明の実施の形態における回収カセット部の主要な構成要素を示す概略斜視図、図５は本発明の実施の形態における回収カセット部の主要な構成要素を示す概略側面図である。
【００４２】
図４及び５に示されるように、回収カセット部３１は、集積ローラ６１によって搬入された紙幣６０が載置されて集積される集積ステージ６２を有する。該集積ステージ６２は、板状の部材であり、紙幣搬入口側端、すなわち、図４及び５における右端が回収カセット部３１の床面に回動可能に枢支され、初期状態において傾斜し、前記紙幣搬入口側端が下方となり、自由端である他端が上方となっている。
【００４３】
また、集積ステージ６２の下方には、該集積ステージ６２を下から支持する付勢手段としての板ばね６３が配設されている。該板ばね６３は、図５に示されるように、側面形状がカンチレバー状の弾性部材であり、紙幣搬入口側端が回収カセット部３１の床面に固定され、自由端である他端が集積ステージ６２の下面に当接して、該集積ステージ６２を上方に向けて付勢している。そのため、初期状態、すなわち、紙幣６０が載置されていない状態において、集積ステージ６２は、板ばね６３の付勢力によって自由端が上昇させられ、図４及び５において左肩上がりとなるように、傾斜している。すなわち、集積ステージ６２は、紙幣搬入口側端が下方となるように斜めに配設されている。これにより、集積ステージ６２の上方に紙幣６０の集積空間を確保することができる。
【００４４】
そして、集積ステージ６２上に紙幣６０が集積されると、該紙幣６０の重量によって集積ステージ６２の自由端が下降する。この場合、紙幣６０の集積枚数が増えるほど重量が増加して、集積ステージ６２は、その自由端が下降し、徐々に水平に近くなる。
【００４５】
さらに、回収カセット部３１の側壁には、集積された紙幣６０が回収カセット部３１一杯になったこと、すなわち、カセットフルを検知するための検知手段としての光学センサ６４が配設されている。該光学センサ６４は、集積ステージ６２上に集積された紙幣６０の高さを監視し、集積された紙幣６０の高さがあらかじめ設定された所定の高さに到達すると、カセットフルを検知して制御部１８に通知する。
【００４６】
次に、前記構成の釣銭機１１の動作について説明する。
【００４７】
図６は本発明の実施の形態における紙幣釣銭部の紙幣の入金処理の動作を示すフローチャートである。
【００４８】
まず、店舗を訪れた顧客が店舗で販売される商品やサービスを購入して、レジ精算場において代金の精算を行う。この場合、前記店舗の係員がＰＯＳレジスタ１４に付属する図示されないバーコード読取装置等の入力装置を操作して、顧客が購入した商品やサービスをＰＯＳレジスタ１４に登録する。すると、該ＰＯＳレジスタ１４の表示装置に顧客が購入した商品やサービスの合計金額が表示される。続いて、前記係員は、表示された合計金額を顧客に伝え、該顧客から現金を受け取る。そして、受け取った現金が正常なものであることを確認した上で、前記現金を顧客から見える箇所に保持させたまま、前記ＰＯＳレジスタ１４に受け取った貨幣の金額、すなわち、受け取り金額を入力する。
【００４９】
これにより、前記ＰＯＳレジスタ１４は、前記合計金額と入力された受け取り金額とから釣銭額を算出する。ここで、釣銭を要する場合、前記ＰＯＳレジスタ１４から釣銭機１１に対して出金指示が出され、該釣銭機１１によって釣銭の出金が行われる。そして、前記係員が出金された釣銭を顧客に手渡した時点で該顧客との精算処理が完了する。そして、前記顧客はレジ精算場から立ち去る。
【００５０】
一方、前記係員は、前記顧客から受け取って顧客が見える箇所に保持させておいた現金を紙幣６０と硬貨とに分別し、前記紙幣６０を紙幣釣銭部１２の紙幣入出金口３０に投入し、硬貨を硬貨釣銭部１３の硬貨入金口１５に投入する。ここで、前記係員が紙幣入出金口３０に紙幣６０をセットすると、フィードローラ４３及び分離ローラ４４は、前記紙幣入出金口３０にセットされた紙幣６０を一枚ずつ分離して搬送路３６に送り込む。そして、前記紙幣入出金口３０から一枚ずつ分離して搬送された紙幣６０は、入出金紙幣認識部３４において、その金種が判別される。ここで、リサイクルして使用可能な金種の紙幣６０は、第１金種別収納庫３２又は第２金種別収納庫３３に収納される。また、リサイクルして使用することができない金種の紙幣６０は、回収カセット部３１に収納されて回収される。なお、受け入れ不能と判別されてリジェクトされた紙幣６０は、出金リジェクト部３５に収納される。
【００５１】
ここで、回収カセット部３１に収納されて回収される紙幣６０は、集積ローラ６１によって紙幣搬入口を通して上から回収カセット部３１内に搬入され、集積ステージ６２上に載置されて集積される。そして、回収カセット部３１に集積された紙幣６０の枚数は、制御部１８のメモリ２２に記録されることによってカウントされる。すなわち、メモリ２２が紙幣６０の集積枚数カウンタとして機能する。なお、回収カセット部３１内に搬入される紙幣６０は、例えば、通過確認センサ５５によって一枚毎に確認されるので、該通過確認センサ５５によって回収カセット部３１内に搬入されたことが確認された紙幣６０の枚数を累計することによって回収カセット部３１に集積された紙幣６０をカウントすることができる。
【００５２】
そして、制御部１８は、集積された紙幣６０の枚数があらかじめ設定された上限枚数となったか否か、すなわち、集積枚数カウンタのカウントがカウンタフルになったか否かを判断する。なお、前記上限枚数は、回収カセット部３１が一杯となる紙幣６０の枚数である。そして、集積枚数カウンタのカウントがカウンタフルになった場合、前記制御部１８は、回収カセット部３１が一杯となった、すなわち、回収カセットフルであるとして、回収カセット部３１の運用を停止する。すなわち、紙幣６０を回収カセット部３１に搬入しないようにして、紙幣６０の回収を停止する。
【００５３】
また、集積枚数カウンタのカウントがカウンタフルになっていない場合、前記制御部１８は、集積された紙幣６０の枚数があらかじめ設定された所定枚数となったか否か、すなわち、集積枚数カウンタのカウントがカウンタ所定枚数になったか否かを判断する。なお、前記所定枚数は、光学センサ６４によるカセットフルの検知を無効とする枚数である。
【００５４】
そして、集積枚数カウンタのカウントがカウンタ所定枚数になった場合、前記制御部１８は、集積ステージ６２上に集積された紙幣６０の高さを監視している光学センサ６４がカセットフルを検知したか否かを判断する。ここで、光学センサ６４がカセットフルを検知した場合、前記制御部１８は、回収カセットフルであるとして、回収カセット部３１の運用を停止する。また、光学センサ６４がカセットフルを検知していない場合、前記制御部１８は、再び、集積枚数カウンタのカウントがカウンタフルになったか否かを判断し、前述の動作を繰り返す。
【００５５】
一方、集積枚数カウンタのカウントがカウンタ所定枚数になったか否かを判断して、カウンタ所定枚数になっていない場合、前記制御部１８は、光学センサ６４がカセットフルを検知したか否かを判断することなく、再び、集積枚数カウンタがカウンタフルになったか否かを判断し、前述の動作を繰り返す。すなわち、集積された紙幣６０の枚数が所定枚数未満の場合には、光学センサ６４によるカセットフルの検知を無効とするようになっている。
【００５６】
次に、フローチャートについて説明する。
ステップＳ１  集積枚数カウンタのカウントがカウンタフルになったか否かを判断する。集積枚数カウンタのカウントがカウンタフルになった場合はステップＳ４に進み、集積枚数カウンタのカウントがカウンタフルになっていない場合はステップＳ２に進む。
ステップＳ２  集積枚数カウンタのカウントがカウンタ所定枚数になったか否かを判断する。集積枚数カウンタのカウントがカウンタ所定枚数になった場合はステップＳ３に進み、集積枚数カウンタのカウントがカウンタ所定枚数になっていない場合はステップＳ１に戻る。
ステップＳ３  光学センサ６４がカセットフルを検知したか否かを判断する。光学センサ６４がカセットフルを検知した場合はステップＳ４に進み、光学センサ６４がカセットフルを検知していない場合はステップＳ１に戻る。
ステップＳ４  回収カセットフルであるとして、回収カセット部３１の運用を停止し、処理を終了する。
【００５７】
このように、本実施の形態において、集積枚数カウンタが回収カセット部３１に集積された紙幣６０の枚数をカウントし、該集積された紙幣６０の枚数が所定枚数未満の場合には、光学センサ６４によるカセットフルの検知を無効とするようになっている。そのため、折り目や、カールのような癖が付いた紙幣６０の場合、回収カセット部３１に集積された紙幣６０の枚数が少ないのに回収カセット部３１への紙幣６０の集積が停止されてしまうことを防止することができる。これにより、回収カセット部３１の運用を継続することができ、紙幣６０を取り出す作業の頻度を低下させることができる。
【００５８】
また、回収カセット部３１の集積ステージ６２は、初期状態において、紙幣搬入口側端が下方となるように斜めに配設されているので、集積ステージ６２の上方に紙幣６０の集積空間を確保することができる。そのため、折り目や、カールのような癖が付いた紙幣６０の端が持ち上がっても、光学センサ６４によって検知されにくくなり、カセットフルが検知されにくくなる。
【００５９】
さらに、本実施の形態においては、コンビニエンスストア、スーパーマーケット等の店舗におけるレジ精算場にて使用されるＰＯＳレジスタ１４等に接続して紙幣６０の入出金処理を行う釣銭機１１に適用した例について説明したが、銀行等の金融機関の窓口で使用される自動現金預払機（窓口端末）等のような銀行員が使用する端末にも適用することができる。
【００６０】
なお、本発明は前記実施の形態に限定されるものではなく、本発明の趣旨に基づいて種々変形させることが可能であり、それらを本発明の範囲から排除するものではない。
【図面の簡単な説明】
【００６１】
【図１】本発明の実施の形態における紙幣処理装置の斜視図である。
【図２】本発明の実施の形態における釣銭機の機能構成を示すブロック図である。
【図３】本発明の実施の形態における紙幣釣銭部の概略断面図である。
【図４】本発明の実施の形態における回収カセット部の主要な構成要素を示す概略斜視図である。
【図５】本発明の実施の形態における回収カセット部の主要な構成要素を示す概略側面図である。
【図６】本発明の実施の形態における紙幣釣銭部の紙幣の入金処理の動作を示すフローチャートである。
【符号の説明】
【００６２】
１１    釣銭機
２２    メモリ
３１    回収カセット部
６０    紙幣
６２    集積ステージ
６３    板ばね
６４    光学センサ
【図１】
2007200187.tif 000003
【図２】
2007200187.tif 000004
【図３】
2007200187.tif 000005
【図４】
2007200187.tif 000006
【図５】
2007200187.tif 000007
【図６】
2007200187.tif 000008